【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
センサーによりデジタル化されたR,G,B値を、明るさを表すＶ値、RとG値の色差を表すCR-G値並びにYとB値の色差を表すCY-B値に変換し、明度対比型に関しては、入力値に対する出力値の対応関係が、逆S字型の曲線を描くような関数を用いることで、暗い部分や明るい部分の明るさに対する視認性を上げるような補正を行い、 画像の全体的な変域及び画像の局所的な変域から補正量を決定し、色対比に関するCR-G値とCY-B値においては、入力値に対する出力値の対応関係がS字型の曲線を描くような関数をそれぞれ用いることで、R値とG値のコントラスト、Y値とB値のコントラストを大きくし、色彩に対する視認性をあげるような補正を行い、画像の全体的な変域及び画像の局所的な変域から補正量を決定し、V値、 CR-G値、CY-B値をそれぞれ独立に補正し、正規化した画素値を最後に統合することを特徴とする画質改善方法。
【請求項２】
(a)画像情報を入力するための入力機構と、(b)前記入力画像により得られた値から輝度を表すV値を入力するV入力機構と、(c)前記入力画像により得られた値からR値とG値の色差であるCR-G値を入力するR-G入力機構と、(d)前記入力画像により得られた値からY値とB値の色差であるCY-B値を入力するY-B入力機構と、(e)前記V入力機構から画像を受け取り、各画素毎に当該画素を含む近傍のVの画素値を取り出すV近傍画像抽出機構と、(f)前記R-G入力機構から画像を受け取り、各画素毎に当該画素を含む近傍のCR-Gの画素値を取り出すR-G近傍画像抽出機構と、(g)前記Y-B入力機構から画像を受け取り、各画素毎に当該画素を含む近傍のCY-Bの画素値を取り出すY-B近傍画像抽出機構と、(h)前記V近傍画像抽出機構から近傍画像を受け取り、当該画素近傍のVの局所的変域を測定するV近傍画像画素値変域解析機構と、(i)前記R-G近傍画像抽出機構から近傍画像を受け取り、当該画素近傍のCR-G値の局所的変域を測定するR-G近傍画像画素値変域解析機構と、(j)前記Y-B近傍抽出機構から近傍画像を受け取り、当該画素近傍のCY-B値の局所的変域を測定するY-B近傍画像画素値変域解析機構と、(k)前記V入力機構及び前記V近傍画像画素値変域解析機構の結果に基づき、画像の下限値、標準偏差値、画像全体の平均値、画像の近傍の平均値によって前記V近傍中心の画素値の補正量を決定するVOn-center画像画素値変量決定機構と、(l) 前記V入力機構及び前記V近傍画像画素値変域解析機構の結果に基づき、画像の上限値、標準偏差値、画像全体の平均値、画像の近傍の平均値によって前記V近傍中心の画素値の補正量を決定するVOff-center画像画素値変量決定機構と、(m)前記VOn-center画像画素値変量決定機構とVOff-center画像画素値変量決定機構で得られた変数とによって、前記VOn-center画像画素値とVOff-center画像画素値を修正し、これらの比の対数で得られるような、逆S字型の曲線を描く関数で、前記V近傍中心画素の画素値を決定するV画素値補正機構と、(n)前記V画素値補正機構で得られた画素値を正規化するV画素値正規化機構と、(o)前記R-G入力機構および前記R-G近傍画像画素値変域解析機構の結果に基づき、シグモイド関数のようなS字型を描く曲線で全体的な補正量を決定するR-G画素値補正機構と、(p) 前記R-G画素値補正機構で得られて画素値を正規化するR-G画素値正規化機構と、(q)前記R-G近傍画像抽出機構から得られた変数によりRの補正変量ROn+Offを決定し、前記R-G正規化機構で得られた値を微調整するR近傍画像画素値調節機構と、(r)前記R-G近傍画像抽出機構から得られたG近傍中心の画素値および近傍のR平均値に基づき、Gの補正変量GOn+Offを決定し、前記R-G画素値正規化機構より得られたG値を微調整するG近傍画像画素値調節機構と、(s)前記R画素値調節機構とG画素値調節機構で得られたRとGの画素値から、RとG値の色差に変換するCr-g変換機構と、(t)前記Y-B入力機構及び前記Y-B近傍画像画素値変域解析機構の結果に基づき、シグモイド関数のようなS字型を描く曲線で全体的な補正量を決定するY-B画素値補正機構と、(u) 前記Y-B画素値補正機構で得られて画素値を正規化するY-B画素値正規化機構と、(v)前記Y-B近傍画像抽出機構から得られたY近傍中心の画素値を含む局所間のY平均とB近傍中心の画素値を含む局所間のB平均に基づき、B値の補正変数量BOnを決定し、前記Y-B画素値正規化機構より得ら��たB値を調整するB近傍素画像画素値調節機構と、(u) 前記Y-B近傍画像抽出機構から得られたY近傍中心の画素値を含む局所間のY平均とB近傍中心の画素値を含む局所間のB平均に基づき、Y値の補正変数量YOffを決定し、前記Y-B画素値正規化機構より得られたY値を微調整するY近傍素画像画素値調節機構と、 (w) 前記B近傍画像素値決定機構と前記Y近傍画像画素値決定機構で得られたYとB値の画素値から、YとB値の色差に変換するCy-b変換機構と、(x) V画素値正規化機構で得られたVの画素値とCr-g変換機構で得られたCr-gの画素値とCy-b変換機構で得られたCy-bの画素値を統合し、修正されたrgb値を求めるrgb変換機構と、 (y)前期rgb変換機構から各画素の画素値を受け取り、画像全体を構成して出力する出力機構とを備えたことを特徴とする画質改善装置。
【請求項３】
(a)画像情報を入力するための入力機構と、(b)前記入力画像により得られた値から輝度を表すV値を入力するV入力機構と、(c)前記入力画像により得られた値からR値とG値の色差であるCR-G値を入力するR-G入力機構と、(d)前記入力画像により得られた値からY値とB値の色差であるCY-B値を入力するY-B入力機構と、(e)前記V入力機構から画像を受け取り、各画素毎に当該画素を含む近傍のVの画素値を取り出すV近傍画像抽出機構と、(f)前記R-G入力機構から画像を受け取り、各画素毎に当該画素を含む近傍のCR-Gの画素値を取り出すR-G近傍画像抽出機構と、(g)前記Y-B入力機構から画像を受け取り、各画素毎に当該画素を含む近傍のCY-Bの画素値を取り出すY-B近傍画像抽出機構と、(h)前記V近傍画像抽出機構から近傍画像を受け取り、当該画素近傍のVの局所的変域を測定するV近傍画像画素値変域解析機構と、(i)前記R-G近傍画像抽出機構から近傍画像を受け取り、当該画素近傍のCR-G値の局所的変域を測定するR-G近傍画像画素値変域解析機構と、(j)前記Y-B近傍抽出機構から近傍画像を受け取り、当該画素近傍のCY-B値の局所的変域を測定するY-B近傍画像画素値変域解析機構と、(k)前記V入力機構及び前記V近傍画像画素値変域解析機構の結果に基づき、画像の下限値、標準偏差値、画像全体の平均値、画像の近傍の平均値によって前記V近傍中心の画素値の補正量を決定するVOn-center画像画素値変量決定機構と、(l) 前記V入力機構及び前記V近傍画像画素値変域解析機構の結果に基づき、画像の上限値、標準偏差値、画像全体の平均値、画像の近傍の平均値によって前記V近傍中心の画素値の補正量を決定するVOff-center画像画素値変量決定機構と、(m)前記VOn-center画像画素値変量決定機構とVOff-center画像画素値変量決定機構で得られた変数とによって、前記VOn-center画像画素値とVOff-center画像画素値を修正し、これらの比の対数で得られるような、逆S字型の曲線を描く関数で、前記V近傍中心画素の画素値を決定するV画素値補正機構と、(n)前記V画素値補正機構で得られた画素値を正規化するV画素値正規化機構と、(o)前記R-G入力機構および前記R-G近傍画像画素値変域解析機構の結果に基づき、シグモイド関数のようなS字型を描く曲線で全体的な補正量を決定するR-G画素値補正機構と、(p) 前記R-G画素値補正機構で得られて画素値を正規化するR-G画素値正規化機構と、(q)前記R-G近傍画像抽出機構から得られた変数によりRの補正変量ROn+Offを決定し、前記R-G正規化機構で得られた値を微調整するR近傍画像画素値調節機構と、(r)前記R-G近傍画像抽出機構から得られたG近傍中心の画素値および近傍のR平均値に基づき、Gの補正変量GOn+Offを決定し、前記R-G画素値正規化機構より得られたG値を微調整するG近傍画像画素値調節機構と、(s)前記R画素値調節機構とG画素値調節機構で得られたRとGの画素値から、RとG値の色差に変換するCr-g変換機構と、(t)前記Y-B入力機構及び前記Y-B近傍画像画素値変域解析機構の結果に基づき、シグモイド関数のようなS字型を描く曲線で全体的な補正量を決定するY-B画素値補正機構と、(u) 前記Y-B画素値補正機構で得られて画素値を正規化するY-B画素値正規化機構と、(v)前記Y-B近傍画像抽出機構から得られたY近傍中心の画素値を含む局所間のY平均とB近傍中心の画素値を含む局所間のB平均に基づき、B値の補正変数量BOnを決定し、前記Y-B画素値正規化機構より得ら��たB値を調整するB近傍素画像画素値調節機構と、(u) 前記Y-B近傍画像抽出機構から得られたY近傍中心の画素値を含む局所間のY平均とB近傍中心の画素値を含む局所間のB平均に基づき、Y値の補正変数量YOffを決定し、前記Y-B画素値正規化機構より得られたY値を微調整するY近傍素画像画素値調節機構と、 (w) 前記B近傍画像素値決定機構と前記Y近傍画像画素値決定機構で得られたYとB値の画素値から、YとB値の色差に変換するCy-b変換機構と、(x) V画素値正規化機構で得られたVの画素値とCr-g変換機構で得られたCr-gの画素値とCy-b変換機構で得られたCy-bの画素値を統合し、修正されたrgb値を求めるrgb変換機構と、 (y)前期rgb変換機構から各画素の画素値を受け取り、画像全体を構成して出力する出力機構とを備えたことを特徴とするソフトウェア。